(57)【要約】      （修正有）【課題】洋式開き戸のドアが故障または破損した時、ドアを開放することが出来ずに閉じ込められるという不具合を解消する簡単な構造で安価なドア開放具を提供する。【解決手段】直径３ｍｍ以下の円柱棒状の剛性体物質からなる第一支持部１と、第一支持部１の一方の端に直径３ｍｍ以下の円柱棒状の剛性体物質で長さ５ｍｍから２０ｍｍで、第一支持部となす角８５度から９５度の範囲に設けた第一開放機能部Ａ２と第一開放機能部Ａ２の第一支持部と反対の端に直径３ｍｍ以下の円柱棒状の剛性体物質で、長さ２０ｍｍから３０ｍｍで、第一支持部および第一開放機能部Ａ２を含む平面内で第一開放機能部Ａ２となす角８５度から９５度の範囲となるよう設置した第一開放機能部Ｂ３と第一開放機能部Ａ２と第一開放機能部Ｂ３からなる第一開放機能部６とを有している。【選択図】図１
0003201002.tif 000002
【実用新案登録請求の範囲】
【請求項１】
直径３ｍｍ以下の円柱棒状の剛性体物質からなる第一支持部と、前記第一支持部の一方の端に直径３ｍｍ以下の円柱棒状の剛性体物質で長さ５ｍｍから２０ｍｍで、前記第一支持部となす角８５度から９５度の範囲に設けた第一開放機能部Ａと前記第一開放機能部Ａの第一支持部と反対の端に直径３ｍｍ以下の円柱棒状の剛性体物質で、長さ２０ｍｍから３０ｍｍで、前記第一支持部および前記第一開放機能部Ａを含む平面内で前記第一開放機能部Ａとなす角８５度から９５度の範囲となるよう設置した第一開放機能部Ｂとを有することを特徴とするドア開放具。
【請求項２】
直径３ｍｍ以下の円柱棒状の剛性体物質からなる第二支持部と、前記第二支持部の一方の端に直径３ｍｍ以下の円柱棒状の剛性体物質で半径５ｍｍ〜８ｍｍ、円弧長さ８ｍｍから１０ｍｍの２つの円弧をＳ字状に組み合わせた第二Ｓ字開放機能部とを有することを特徴とするドア開放具。
【考案の詳細な説明】
【技術分野】
【０００１】
本実用新案は、洋式開き戸のドア取手やラッチまたはフロントケース（ラッチが収納されているケース）が故障  または破損した時に使用するドア開放具に関するものである。
【背景技術】
【０００２】
洋式開き戸のドア取手またはフロントケースやラッチが故障または破損した時、洋式開き戸が設置された部屋の戸が前記洋式開き戸１つの場合、室内に閉じ込められる事となり、前記部屋の戸が複数ある場合、閉じ込められることはないが、前記開き戸の使用が不可能となる不都合が生じる。
【０００３】
このような課題を解決するために、洋式開き戸のドア取手やラッチまたはフロントケースやラッチが故障または破損した時に使用するドア開放具を予めフロントケース内に組み込んだ技術が特許文献１に記載されている。特許文献１記載の開放具は予めフロントケース内にドア開放具を組み込んでいるために、洋式開き戸のドア取手またはフロントケースやラッチが故障または破損した時、容易にドア開放できるようになっている。
【０００４】
しかし、ドア開放具を予めフロントケースに組み込む方法は、構造が複雑であり高価になる欠点があるとともに、ドア開放具を備えていない既設の洋式開き戸では、開放具を組み込むにはフロントケース、ラッチを含む多くの機構を更新する必要があり、更に高価になるという欠点がある。また、通常のドア開閉時に組み込んだ開放具を誤操作する恐れがあるという欠点がある。
【特許文献１】特開２００１１０７６１６号公報
【考案の概要】
【考案が解決しようとする課題】
【０００５】
本考案は、洋式開き戸のドア取手またはフロントケースやラッチが故障または破損した時の従来の開放具の不具合を鑑み、考案されたものであり予めドア開放具をフロントケースに組み込むことなく、簡単な構造の開放具とすることにより、安価で従来のドア開放具を組み込んでいない既設の洋式開き戸にも適用できるドア開放具を提供するものである。
【課題を解決するための手段】
【０００６】
上記の目的を達成するために、本考案では、請求項１に記載するように、直径３ｍｍ以下の円柱棒状の剛性体物質からなる第一支持部と、前記第一支持部の一方の端に直径３ｍｍ以下の円柱棒状の剛性体物質で長さ５ｍｍから２０ｍｍで、前記第一支持部となす角８５度から９５度の範囲に設けた第一開放機能部Ａと前記第一開放機能部Ａの第一支持部と反対の端に直径３ｍｍ以下の円柱棒状の剛性体物質で、長さ２０ｍｍから３０ｍｍで、前記第一支持部および前記第一開放機能部Ａを含む平面内で前記第一開放機能部Ａとなす角８５度から９５度の範囲となるよう設置した第一開放機能部Ｂとからなる第一開放機能部とを有するドア開放具とする。
【０００７】
また、請求項２の記載するように、直径３ｍｍ以下の円柱棒状の剛性体物質からなる第二支持部と、前記第二支持部の一方の端に直径３ｍｍ以下の円柱棒状の剛性体物質で半径５ｍｍ〜８ｍｍ、円弧長さ８ｍｍから１０ｍｍの２つの円弧をＳ字状に組み合わせた第二Ｓ字開放機能部を有するドア開放具とする。
【考案の効果】
【０００８】
直径３ｍｍ以下の円柱棒状の剛性体物質からなる第一支持部と、前記第一支持部の一方の端に直径３ｍｍ以下の円柱棒状の剛性体物質で長さ５ｍｍから２０ｍｍで、前記第一支持部となす角８５度から９５度の範囲に設けた第一開放機能部Ａと前記第一開放機能部Ａの第一支持部と反対の端に直径３ｍｍ以下の円柱棒状の剛性体物質で、長さ２０ｍｍから３０ｍｍで、前記第一支持部および前記第一開放機能部Ａを含む平面内で前記第一開放機能部Ａとなす角８５度から９５度の範囲となるよう設置した第一開放機能部Ｂと前記第一開放機能部Ａからなる第一開放機能部とを有するようになっているので、簡単な構造で安価に製作でき、あらかじめドア部に組込む必要がなく、既設の洋式開き戸にも適用できるドア開放具が提供できる。
【０００９】
直径３ｍｍ以下の円柱棒状の剛性体物質からなる第二支持部と、前記第二支持部の一方の端に直径３ｍｍ以下の円柱棒状の剛性体物質で半径５ｍｍ〜８ｍｍ、円弧長さ８ｍｍから１０ｍｍの２つの円弧をＳ字状に組み合わせた第二Ｓ字開放機能部を有するようになっているので、簡単な構造で安価に製作でき、あらかじめドア部に組込む必要がなく、既設の洋式開き戸にも適用できるドア開放具が提供できる。    
【図面の簡単な説明】
【００１０】
【図１】本考案の実施の形態１の側面図である。
【図２】本考案の実施の形態１の正面図である。
【図３】本考案の実施の形態２の正面図である。
【図４】本考案の実施の形態２の側面図である。
【図５】ドアノブ・ラッチの構造を示す図である。
【図６】本考案の実施の形態１の使用例を示す図である。
【図７】本考案の実施の形態２の使用例を示す図である。
【考案を実施するための形態】
【００１１】
以下に図面を用いて本考案を実施するための実施の形態を説明する。図１および２はそれぞれ本考案の実施の形態１の側面図及び正面図である。
【００１２】
本考案の実施の形態１は図１および２に示すように、直径３ｍｍ以下の円柱棒状の剛性体物質からなる第一支持部１と、前記第一支持部１の一方の端に直径３ｍｍ以下の円柱棒状の剛性体物質で長さ５ｍｍから２０ｍｍで、前記第一支持部となす角８５度から９５度の範囲に設けた第一開放機能部Ａ２と前記第一開放機能部Ａ２の第一支持部と反対の端に直径３ｍｍ以下の円柱棒状の剛性体物質で、長さ２０ｍｍから３０ｍｍで、前記第一支持部および前記第一開放機能部Ａ２を含む平面内で前記第一開放機能部Ａ２となす角８５度から９５度の範囲となるよう設置した第一開放機能部Ｂ３と前記第一開放機能部Ａ２と第一開放機能部Ｂ３からなる第一開放機能部６とを有している。図１，２には前記第一支持部１の前記第一開放機能部６と反対の端に設置した前記第一支持部１の直径より大きな断面を有し、前記第一支持部１に固定されたグリップ部４を有している。グリップ部４は第一支持部１の第一開放機能部６と反対の端部の一部を曲げ、そこにグリップ部を挿入し、グリップ固定部５のように第一支持部１の端部を曲げることでグリップ部４を固定し、グリップ部４を回転すれば、第一支持部１及び第一開放機能部６も回転するようにする。ここではグリップ固定部５を設けたが他の方法、例えばグリップ部４を第一支持部１と接着剤で接着するなどの方法でもよいし、グリップ部４を設けなくてもよい。
【００１３】
一方、一般に洋式開きドア、ラッチ等は図５に示すドアノブ・ラッチの構造図のようになっている。図５でドア２１にドアノブ１５が設置されており、ドアノブ１５を回転させることで、シャフト１４が回転し、ラッチケース内リング１３部分が回転し、ラッチケース内カム１２がラッチケース内リング１３部分のカム（図示しない）に掛かり、ラッチケース内カム１２及びラッチスプリング１１及びラッチ１０がドア２１の方に引き込まれラッチ１０がドア２１内に格納される。ドアノブ１５を解放すると、ドアノブ１５がレバーハンドルスプリング１６の作用で元に戻り、ラッチスプリング１１がラッチ１０を押してラッチ受け１８内に収まりドア２１が閉まる。また、図５に示すように、ドア枠１９にはドア戸当たり２０が設置されており、ドア２１がドア戸当たり２０により、それ以上回転移動しないようになっている。
【００１４】
このようにドア戸当たり２０が設置されているため、本考案の実施の形態として、ドア戸当たり２０側からドア開放具を作用させる場合とドア戸当たり２０と逆の側からドア開放具を作用させる場合にドア開放具に差異が生じ、図１，２に示す実施の形態１はドア戸当たり２０側から作用させるドア開放具である。
【００１５】
図６は図１，２に示す実施の形態１のドア開放具を使ってドアを開放する方法を示す実施の形態１の使用例を示す図である。
【００１６】
実施の形態１のドア開放具で、図６のドア２１とドア戸当たり２０の間の隙間に第一開放機能部（第一機能部Ａ及び第一機能部Ｂから成る）を挿入し、第一支持部１をドア２１に対し垂直に近くなるよう回転させ、第一開放機能部Ｂ３をラッチ１０に接触するようにする。第一開放機能部Ｂ３がラッチ１０に接しながら第一支持部１をドアノブ１５方向に移動させるとラッチ１０がラッチ受け１８から出て、ドアを開放することができる。
【００１７】
このように実施の形態１のドア開放具は１つの平面内でほぼ直角に折れ曲がった第一開放機能部を有するので、ドア戸当たり２０が存在してもラッチ１０に作用して、ドアを開放することができる。ラッチの故障時は施錠されている場合とは異なり、小さな力でラッチ部を動かすことが可能で、本実施の形態１のドア開放具で容易に開放することができる。
【００１８】
図３および４はそれぞれ本考案の実施の形態２の側面図及び正面図である。
本考案の実施の形態２は図３および４に示すように、直径３ｍｍ以下の円柱棒状の剛性体物質からなる第二支持部と、前記第二支持部の一方の端に直径３ｍｍ以下の円柱棒状の剛性体物質で半径５ｍｍ〜８ｍｍ、円弧長さ８ｍｍから１０ｍｍの２つの円弧をＳ字状に組み合わせた第二Ｓ字開放機能部を有しているが必ずしもＳ字状でなくてもよいし、グリップを設けてもよい。                                    
【００１９】
図３，４に示す実施の形態２はドア戸当たり２０の逆側から作用させるドア開放具である。図７は図３，４に示す実施の形態２のドア開放具を使ってドアを開放する方法を示す実施の形態２の使用例を示す図である。
【００２０】
実施の形態２のドア開放具で、図７のドア２１とドア枠１９の戸当たり２０の逆側の隙間に第二開放Ｓ字機能部８を挿入し、第二支持部７をドア２１とドア枠１９と垂直にし、第二Ｓ字開放機能部８をラッチ１０に接触するようにする。第二開放Ｓ字機能部がラッチ１０に接しながら第二支持部７を手前方向に移動させるとラッチ１０がラッチ受け１８から出て、ドアを開放することができる。
【００２１】
このように実施の形態２のドア開放具は１つの平面内でほぼ直角に折れ曲がった第二Ｓ字開放機能部を有するので、ドア２１とドア枠１９の戸当たり２０の逆側からラッチの故障時は施錠されている時とは異なり、小さな力でラッチ部を動かすことが可能で、本実施の形態2のドア開放具で開放することができる。
【符号の説明】
【００２２】
１  第一支持部
２  第一開放機能部Ａ
３  第一開放機能部Ｂ
４  グリップ
５  グリップ固定部
６  第一開放機能部
７  第二支持部
８  第二Ｓ字開放機能部
１０  ラッチ
１１  ラッチスプリング
１２  カム
１３  リング
１４  シャフト
１５  ドアノブ
１６  レバーハンドルスプリング
１７  ハンドル台座
１８  ラッチ受け
１９  ドア枠
２０  ドア戸当たり
２１  ドア
【図１】
0003201002.tif 000003
【図２】
0003201002.tif 000004
【図３】
0003201002.tif 000005
【図４】
0003201002.tif 000006
【図５】
0003201002.tif 000007
【図６】
0003201002.tif 000008
【図７】
0003201002.tif 000009